(57)【特許請求の範囲】
【請求項１】
容器本体の口部に蓋をねじ結合により着脱自在に取付け、上記口部外周面に形成された口部側ねじ条と上記蓋内周面に形成された蓋側ねじ条のねじ結合の終端部に、相互に嵌合するクリック部を設けてなる蓋付き容器において、上記の口部側ねじ条と蓋側ねじ条のいずれか一方又は両方に、１周あたり少なくとも３箇所の凸部をねじ条外周面に設け、各凸部が作る仮想半径を上記のクリック部におけるクリックトルクを保証する大きさに設定したことを特徴とする蓋付き容器。
【請求項２】
上記の凸部相互間のねじ条外周面に、上記蓋の変形を許容する盗み部を設けたことを特徴とする請求項１に記載の蓋付き容器。
【発明の詳細な説明】
【０００１】
【発明の属する技術分野】
この発明は、水筒、魔法びん等の蓋付き容器一般に関するものである。
【０００２】
【従来の技術】
容器本体の口部に蓋をねじ結合により着脱自在に取付ける場合に、ねじ締め操作の終わりで蓋を操作する人の手にクリック感を与え、確実に締まったことを感知できるようにすることが従来から行われている。
【０００３】
このようなクリック感を与える構成として、容器本体の口部側ねじ条のねじ結合の終端にクリック突起を設けると共に、コップ兼用の蓋の内周面に形成した蓋側ねじ条の始端にクリック凹所を設け、蓋のねじ締め操作の終わりに上記のクリック突起とクリック凹所を嵌合させ、その際に所要の大きさのクリックトルクを発生させるようにしている。
【０００４】
上記のように所要の大きさのクリックトルクを発生させるために、口部側ねじ条と蓋側ねじ条の径寸法は、比較的高い精度をもつように設定され、両方のねじ条の嵌合は径方向に余裕の少ない比較的タイトな嵌合となる。
【０００５】
【発明が解決しようとする課題】
上記のような蓋付き容器において、生産時における寸法のバラツキや、経時変化、使用条件等の影響により、口部側ねじ条の外径が設計値より大きくなった場合には、その口部側ねじ条が蓋側のねじ溝の底に接近又は干渉することがある。また蓋側ねじ条の内径が設計値より小さくなった場合には、その蓋側ねじ条が口部側のねじ溝の底に接近又は干渉することがある。
【０００６】
上記のいずれの場合においても、クリック嵌合時の蓋の変形余裕が少ないか、又はゼロとなるので、クリックトルクが著しく大きくなり蓋を締める操作が困難となる原因となる。
【０００７】
そこで、この発明は、ねじ径の大きさが設計値からずれることがあっても、クリック嵌合時における蓋の変形を可能にし、所要の大きさのクリックトルクが得られるようにすることを課題とする。
【０００８】
【課題を解決するための手段】
上記の課題を解決するために、この発明は、容器本体の口部に蓋をねじ結合により着脱自在に取付け、上記口部外周面に形成された口部側ねじ条と上記蓋内周面に形成された蓋側ねじ条のねじ結合の終端部に、相互に嵌合するクリック部を設けてなる蓋付き容器において、上記の口部側ねじ条と蓋側ねじ条のいずれか一方又は両方に、１周あたり少なくとも３箇所の凸部をねじ条外周面に設け、各凸部が作る仮想半径を上記のクリック部におけるクリックトルクを保証する大きさに設定した構成とした。
【０００９】
なお、上記の凸部相互間のねじ条周面に、上記蓋の変形を許容する盗み部を設けた構成をとることができる。
【００１０】
【発明の実施の形態】
以下、この発明の実施形態を添付図面に基づいて説明する。実施形態の蓋付き容器は図１及び図２に示すように、容器本体１の口部２の外周面に始端３から終端４までが１周以内の口部側ねじ条５が設けられ、また、口部２に被せられるコップ形の蓋６の内周面に蓋側ねじ条７が設けられる。この蓋側ねじ条７の始端８から１周以内の位置にある終端部９との間に所定の大きさのねじ端間隔Ａが形成される。また、蓋側ねじ条７の中間部分を切欠いて、その蓋側ねじ条７の始端８に連続した始端側中間端部１１と、終端９に連続した終端側中間端部１２との間に所定の大きさの中間間隔Ｂが形成される。
【００１１】
上記のねじ端間隔Ａと中間間隔Ｂは、取手１３の両側約９０度の位置に設けられ、この取手１３を把持して蓋６で飲料を飲む際に、唇が蓋側ねじ条７に触れることを防止し、また飲料の液切れを良好にしている。
【００１２】
上記の蓋６は、その蓋側ねじ条７の始端８を口部側ねじ条５の始端３の下面に係合させ、ほぼ２７０度回転させることによりねじ締めされ、そのねじ締めの終端において、蓋側ねじ条７の始端８の近傍に設けたクリック凹部１４が、口部側ねじ条５の終端部に設けたクリック凸部１５に嵌まり合いクリック感を与える。
【００１３】
上記の口部２の開口端部近くの外周面に中栓ねじ締め用のねじ条１６が設けられる。また、口部側ねじ条５の始端３の近傍には規制凸部１７が設けられる。この規制凸部１７は、蓋側ねじ条７の始端側中間端部１１の下面に当接することによって、口部側ねじ条５の始端３が中間間隔Ｂに入り込む事態、いわゆる「斜め入り」を防止する。
【００１４】
図３（ａ）から（ｃ）は、前記のクリック凹部１４がクリック凸部１５にクリック嵌合する際の様子を示すものであり、同図の（ｂ）に示すように、蓋側ねじ条７の始端８とクリック凹部１４との間のねじ凸部１８と、クリック凸部１５が当接する際に所要のクリックトルクが発生する。
【００１５】
上記の蓋側ねじ条７と口部側ねじ条５とがラフに嵌合しており径方向の隙間が大きいとすると、所要の大きさのクリックトルクを得ることができないことがある。また、あまりにタイトな嵌合であると、寸法バラツキ等がある場合にクリックトルクが大きすぎて蓋締め操作に支障を来すことがある。
【００１６】
図４（ａ）から（ｃ）は、そのような問題を解決する１つの手段を示している。即ち、この場合は、口部側ねじ条５に等間隔をおいて１周４箇所の凸部１９が設けられ、その凸部１９間は一般ねじ部２１となっている。凸部１９の部分を連ねる仮想円の外径Ｌは、所要の大きさのクリックトルクが保証される大きさに設定される。上記の一般ねじ部２１の外径Ｌ’はこれより小さく設定され、蓋側のねじ溝底２２との間にｄの隙間が存在する（図４（ｃ）参照）。この外径Ｌ’の部分は、外径Ｌの凸部１９の部分から、ｄの大きさだけ凹入した盗み部２４であるということもできる。
【００１７】
なお、蓋側ねじ条７は口部側のねじ溝底２３との間に所定の隙間ｅが全周にわたり存在し、その蓋側ねじ条７の内径は寸法バラツキ等があってもねじ溝底２３と干渉するおそれのない大きさに設定される。
【００１８】
図５（ａ）から（ｃ）は、他の手段であり、この場合は、蓋側ねじ条７に、前記のねじ端間隔Ａと中間間隔Ｂの部分を除き、等間隔をおいて１周４箇所の凸部１９’が内向きに設けられ、その凸部１９’の間は一般ねじ部２１’となっている。
【００１９】
凸部１９’の部分を連ねる仮想円の内径Ｎは、所要の大きさのクリックトルクが保証される大きさに設定される。上記の一般ねじ部２１’の内径Ｎ’はこれより大きく設定され、口部側ねじ溝底２３’との間にｄ’の隙間が存在する（図５（ｃ）参照）。この内径Ｎ’の部分は、内径Ｎの凸部１９’の部分から、ｄ’の大きさだけ凹入した盗み部２４’であるということもできる。
【００２０】
なお、口部側ねじ条５は蓋側のねじ溝底２２’との間に所定の隙間ｅ’が全周にわたり存在し、その口部側ねじ条５の外径寸法バラツキ等があってもねじ溝底２２’と干渉するおそれのない大きさに設定される。
【００２１】
上記の図４、図５のいずれの場合も、凸部１９、１９’の存在により、蓋６の口部２に対する嵌合精度が確保され、従って前記のクリック嵌合の際に所定のクリックトルクが得られる。また、寸法バラツキ等の影響によりこれらの凸部１９、１９’が設計値より大きくなったとしても、クリック嵌合時に蓋６が盗み部２４、２４’における隙間ｄ，ｄ’の部分で変形してクリックトルクが過大になることが避けられる。
【００２２】
上記の各実施形態においては、凸部１９、１９’を１周４箇所に設けた例を示しているが、少なくとも３箇所に設ける構成をとることができる。
【００２３】
なお、上記の図４及び図５を併せた構成として、口部側ねじ条５に凸部１９を設け、同時に蓋側ねじ条７に凸部１９’を設ける構成をとっても同様の効果が得られる。
【００２４】
【発明の効果】
以上のように、この発明は、口部側ねじ条と蓋側ねじ条のいずれか一方又は両方に、１周あたり少なくとも３箇所の凸部をねじ条外周面に設け、各凸部が作る仮想半径を上記のクリック部におけるクリックトルクを保証する大きさに設定することにより、クリック嵌合時においては所定の大きさのクリックトルクが得られ、また寸法バラツキ等があっても蓋の変形が可能であるので、クリックトルクが過大になることが防止され、円滑な蓋締め操作を行うことができる。
【図面の簡単な説明】
【図１】実施形態の一部省略分解斜視図
【図２】同上の口部の正面図
【図３】（ａ）〜（ｄ）  クリック嵌合部分を示す断面図
【図４】（ａ）蓋の嵌合部分の断面図
（ｂ）（ａ）図のｂ−ｂ線の拡大断面図
（ｃ）（ａ）図のｃ−ｃ線の拡大断面図
【図５】（ａ）他の実施形態の蓋の嵌合部分の断面図
（ｂ）（ａ）図のｂ−ｂ線の拡大断面図
（ｃ）（ａ）図のｃ−ｃ線の拡大断面図
【符号の説明】
１  容器本体
２  口部
３  始端
４  終端
５  口部側ねじ条
６  蓋
７  蓋側ねじ条
８  始端
９  終端
１１  始端側中間端部
１２  終端側中間端部
１３  取手
１４  クリック凹部
１５  クリック凸部
１６  ねじ条
１７  規制凸部
１８  ねじ凸部
１９、１９’  凸部
２１、２１’  一般ねじ部
２２、２２’  ねじ溝底
２３、２３’  ねじ溝底
２４、２４’  盗み部
【図１】
0003574005.tif 000002
【図２】
0003574005.tif 000003
【図３】
0003574005.tif 000004
【図４】
0003574005.tif 000005
【図５】
0003574005.tif 000006